(57)【特許請求の範囲】
【請求項１】
球状に形成されたカプセル本体と、当該カプセル本体内に収容された印鑑とからなり、
前記カプセル本体は、半球体状に形成された第１のケースと、当該第１のケースに結合される半球体状に形成された第２のケースとで構成され、前記第１のケースと前記第２のケースの結合を解除することによって前記印鑑を取り出すことが可能であり、
前記第１のケースと前記第２のケースの少なくとも一方の外面には、平面部が形成され、当該平面部に第１の連結部が形成されており、
前記印鑑は、印版を収容することが可能な半球体状の収容体と、当該収容体に結合される蓋体とで構成され、前記収容体と前記蓋体の結合を解除することによって前記収容体内の印版の印面を表出させることができ、
前記印鑑は、収容体の球面部に平面部が形成され、当該平面部に前記第１の連結部に連結される第２の連結部が形成され、第２の連結部を前記第１の連結部に連結することによって、カプセル本体の平面部と印鑑の平面部が当接してカプセル本体の外面に着脱可能に安定して取り付けられることを特徴とするカプセル。
【請求項２】
前記第１の連結部が形成された平面部と前記第２の連結部が形成された平面部の一方の平面部に位置決め凹部が形成され、他方の平面部に前記位置決め凹部に係脱する位置決め凸部が形成されていることを特徴とする請求項１記載のカプセル。
【請求項３】
前記第１のケースと前記第２のケースの少なくとも一方の内面にも、前記印鑑の第２の連結部を連結する第３の連結部が形成され、
前記印鑑は、前記第２の連結部を前記第３の連結部に連結することによって、カプセル本体の内面に着脱可能に取り付けられることを特徴とする請求項１又は２記載のカプセル。
【請求項４】
第１の連結部と第３の連結部は、カプセル本体に形成された同一の連結孔であって、
第２の連結部は、印鑑に形成された連結突起であることを特徴とする請求項３記載のカプセル。
【発明の詳細な説明】
【技術分野】
【０００１】
本発明は、分割可能であり、内部に印鑑を収容し、分割することによって内部から印鑑を取り出すことができるカプセルに関する。
【背景技術】
【０００２】
従来のカプセルは、分割可能に構成され、内部に小物品が収納されている。また、従来のカプセルは、小物品として動物形状の布地を収納し、当該布地を内部から取り出して、カプセル本体に被せ、動物玩具遊びをすることができるものもある（例えば、特許文献１）。
【特許文献１】実公平７−４６３０６号公報
【発明の開示】
【発明が解決しようとする課題】
【０００３】
従来のカプセルは、内部に様々な小物品を収納するが、主に遊びを提供するものであり、実用品としての機能を備えたものは存在しなかった。例えば、カプセル本体内に印鑑を収容し、当該印鑑をカプセル本体から取り出してカプセル本体に連結し、カプセル本体を把持部として押印を行うものは存在しなかった。
【０００４】
本願発明は、上記問題点に鑑み案出したものであって、カプセル本体内に印鑑を備え、印鑑をカプセル本体内から取り出してカプセル本体に連結し、押印作業を行うことが可能なカプセルを提供することを目的とする。
【課題を解決するための手段】
【０００５】
本願請求項１に係るカプセルは、上記目的を達成するため、球状に形成されたカプセル本体と、当該カプセル本体内に収容された印鑑とからなり、前記カプセル本体は、半球体状に形成された第１のケースと、当該第１のケースに結合される半球体状に形成された第２のケースとで構成され、前記第１のケースと前記第２のケースの結合を解除することによって前記印鑑を取り出すことが可能であり、前記第１のケースと前記第２のケースの少なくとも一方の外面には、平面部が形成され、当該平面部に第１の連結部が形成されており、前記印鑑は、印版を収容することが可能な半球体状の収容体と、当該収容体に結合される蓋体とで構成され、前記収容体と前記蓋体の結合を解除することによって前記収容体内の印版の印面を表出させることができ、前記印鑑は、収容体の球面部に平面部が形成され、当該平面部に前記第１の連結部に連結される第２の連結部が形成され、第２の連結部を前記第１の連結部に連結することによって、カプセル本体の平面部と印鑑の平面部が当接してカプセル本体の外面に着脱可能に安定して取り付けられることを特徴とする。
【０００６】
本願請求項２に係るカプセルは、上記目的を達成するため、前記第１の連結部が形成された平面部と前記第２の連結部が形成された平面部の一方の平面部に位置決め凹部が形成され、他方の平面部に前記位置決め凹部に係脱する位置決め凸部が形成されていることを特徴とする。
【０００８】
本願請求項３に係るカプセルは、上記目的を達成するため、前記第１のケースと前記第２のケースの少なくとも一方の内面にも、前記印鑑の第２の連結部を連結する第３の連結部が形成され、前記印鑑は、前記第２の連結部を前記第３の連結部に連結することによって、カプセル本体の内面に着脱可能に取り付けられることを特徴とする。
【０００９】
本願請求項４に係るカプセルは、上記目的を達成するため、第１の連結部と第３の連結部は、カプセル本体に形成された同一の連結孔であって、第２の連結部は、印鑑に形成された連結突起であることを特徴とする。
【発明の効果】
【００１０】
本願発明に係るカプセルは、第１のケースと第２のケースの結合を解除して、印鑑を取り出し、第１のケースと第２のケースを結合してカプセル本体を構成する一方、カプセル本体の第１の連結部に印鑑の第２の連結部を連結して、カプセル本体に印鑑を取り付け、カプセル本体を把持して押印作業を行うことができるという効果がある。また、印鑑をカプセル本体から取り外し、第１のケースと第２のケースの結合を解除して、印鑑をカプセル本体内に収納することができるという効果がある。また、押印作業において、カプセル本体内は空室状態となっており、内部に小物を収納させることもできるという効果がある。
【発明を実施するための最良の形態】
【００１１】
本願発明に係るカプセルの実施の形態を図１乃至図１４に基づいて説明する。図１は、カプセルの全体説明図であって、（ａ）が平面図、（ｂ）が正面図、（ｃ）が底面図である。図２は、カプセルの側面断面図である。図３は、カプセルの分解側面図である。図４は、図３の側面断面図である。図５は、カプセル本体に印鑑を取り付けた状態の側面断面図である。図６はカプセルを上から視た全体斜視図である。図７はカプセルを下から視た全体斜視図である。図８は、カプセル本体に印鑑を取り付けた状態の全体斜視図である。図９は、第２のケースを外した状態を示す斜視図である。図１０、１１は、第１のケースから印鑑を取り出した状態の斜視図である。図１２は、印鑑の蓋体を外した状態の斜視図である。図１３、１４は、印鑑の分解斜視図である。
【００１２】
カプセル１は、カプセル本体２と、当該カプセル本体２内に収容された印鑑２１とからなる。前記カプセル本体２は、第１のケース３と、当該第１のケース３に結合される第２のケース１５とで構成され、前記第１のケース３と前記第２のケース１５の結合を解除することによって前記印鑑２１を取り出すことが可能である。前記第１のケース３と前記第２のケース１５の少なくとも一方の外面３ａには、第１の連結部１１が形成されている。前記印鑑２１は、一方に印面４２が形成され、他方に前記第１の連結部１１に連結される第２の連結部３５が形成され、第２の連結部３５を前記第１の連結部１１に連結することによって、カプセル本体２の外面３ａに着脱可能に取り付けられる。
【００１３】
印鑑２１は、半球体状に形成され、平面部に印面４２が設けられ、球面部に第２の連結部３５が形成されている。印鑑２１は、印版２６を収容することが可能な収容体２２と、当該収容体２２に結合される蓋体５１とで構成され、前記収容体２２と前記蓋体５１の結合を解除することによって前記収容体２２内の印版２６の印面４２を表出させることができる。
【００１４】
前記第１のケース３と前記第２のケース１５の少なくとも一方の内面３ｂにも、前記印鑑２１の第２の連結部３５を連結する第３の連結部１１が形成されている。前記印鑑２１は、前記第２の連結部３５を前記第３の連結部１１に連結することによって、カプセル本体２の内面３ｂに着脱可能に取り付けられる。第１の連結部と第３の連結部は、カプセル本体２に形成された同一の連結孔１１であって、第２の連結部は、印鑑２１に形成された連結突起３５であることが望ましい。
【００１５】
カプセル１は、第１のケース３と第２のケース１５の結合を解除して、印鑑２１を取り出し、第１のケース３と第２のケース１５を結合してカプセル本体２を構成する一方、カプセル本体２の第１の連結部１１に印鑑２１の第２の連結部３５を連結して、カプセル本体２に印鑑２１を取り付け、カプセル本体２を把持して押印作業を行うことができる。また、印鑑２１をカプセル本体２から取り外し、第１のケース３と第２のケース１５の結合を解除して、印鑑２１をカプセル本体２内に収納することもできる。なお、押印作業において、カプセル本体２内は空室状態となっており、内部に小物を収納させることもできる。
【００１６】
さらに、カプセル１について詳細に説明する。図２に示すように、カプセル１は、カプセル本体２と、当該カプセル本体２内に収容された印鑑２１とからなる。カプセル本体２は、合成樹脂素材によって球状に形成され、第１のケース３と、当該第１のケース３に結合される第２のケース１５とで構成されている。図４に示すように、第１のケース３は、球体が二分割された半球体状に形成され、開口５の端縁６内側の円周方向に係止凹部７が形成されている。また第１のケース３は、開口５と反対側の球面（頂上面）に平面部９が形成されている。平面部９の略中央には、第１のケース３の内面３ｂと外面３ａを連通する連結孔１１が形成されている。また外面３ａ側の平面部９の連結孔１１近傍には、位置決め凹部１２が設けられている。
【００１７】
第２のケース１５は、第１のケース３と同様に、球体が二分割された半球体状に形成され、開口１６の端縁１７の円周方向に係止凸部１９が形成されている。また第２のケース１５は、開口１６と反対側の球面（頂上面）の４箇所に、透孔１８が設けられている。第２のケース１５の係止凸部１９を第１のケース３の係止凹部７に係止させることによって、第２のケース１５の端縁１７と第１のケース３の端縁６が接合し、カプセル本体２を構成する。
【００１８】
印鑑２１は、合成樹脂素材によって形成され、半球体状の収容体２２と、収容体２２の開口２３を塞ぐ蓋体５１と、収容体２２内に収容される印版２６とからなる。収容体２２は、開口２３の端縁２７外側に雄ネジ部２９が形成されている。また収容体２２は、開口２３と反対側の球面（頂上面）に平面部３２が形成されている。平面部３２の外側略中央には、前記第１のケース３の連結孔１１に連結可能な連結突起３５が形成されている。また、平面部３２には、前記第１のケース３の位置決め凹部１２に係脱する位置決め凸部３３が形成されている。平面部３２の内側略中央には、ボス３６が形成されている。ボス３６の先端には、取付穴３７が形成されている。
【００１９】
前記印版２６は、インクが含浸可能な素材で形成され、表面３９にインク滲出部とインク非滲出部とからなる印面４２が形成され、裏面４３が円盤状の取付板４５の表面４６に接着剤等によって取り付けられている。取付板４５の裏面４７中央には、前記収容体２２のボス３６の先端に形成された取付穴３７に差し込まれて取り付けられる取付軸４９が形成されている。印版２６は、取付軸４９が取付穴３７に差し込まれると、収容体２２に着脱可能に取り付けられ、印面４２が収容体２２の開口２３から突出する。
【００２０】
前記蓋体５１は、円板状のカバー部５２と、カバー部５２の周縁に形成された突縁５３とからなり、突縁５３の内側に雌ネジ部５５が形成されている。蓋体５１は、雌ネジ部５５を収容体２２の雄ネジ部２９に螺着することにより、印版２６の印面４２を覆うようにして、収容体２２の開口２３を塞ぐように取り付けられる。
【００２１】
カプセル１は、上記構成を有し、以下のように使用することができる。カプセル本体２は、第２のケース１５の係止凸部１９を第１のケース３の係止凹部７から離脱させることにより、第２のケース１５と第１のケース３に分解することができる。印鑑２１の連結突起３５を第１のケース３の連結孔１１から外して、印鑑２１を第１のケース３から取り出す。第２のケース１５の係止凸部１９を第１のケース３の係止凹部７に係止されて、カプセル本体２を組み立てる。なお、組み立てる際、カプセル本体２内に小物を収容しても良い。
【００２２】
図５に示すように、印鑑２１の連結突起３５をカプセル本体２の連結孔１１に外面３ａ側から連結する。カプセル本体２の平面部９と印鑑２１の平面部３２が面当接するので、カプセル本体２と印鑑２１は、安定して連結される。この連結の際、印鑑２１の位置決め凸部３３を第１のケース３の位置決め凹部１２に係止させることにより、印面４２の方向が決められる。図８に示すように、カプセル１は、印鑑２１の蓋体５１を接地させて立設させることができる。この場合、カプセル本体２が頭部で、印鑑２１が胴部となったこけし形状となり、装飾置物としての外観を呈することができる。前述したように、頭部となるカプセル本体２内に小物を収納することができ、収納置物としても利用することができる。
【００２３】
蓋体５１を収容体２２から外すと、印鑑２１の印面４２が表出する。カプセル本体２を把持して、印面４２を紙面に押し付け押印することができる。不使用時には、蓋体５１を収容体２２に螺着することにより、印面４２が蓋体５１によって覆われ、印面４２の乾燥を防ぐことができる。なお、印版２６は、収容体２２から着脱することができるので、多種多様な印版と交換することができる。
【００２４】
また、第２のケース１５の係止凸部１９を第１のケース３の係止凹部７から離脱させて、カプセル本体２を第２のケース１５と第１のケース３に分解し、印鑑２１の連結突起３５を第１のケース３の連結孔１１に内面３ｂ側から連結して、印鑑２１を第１のケース３内に固定し、第２のケース１５の係止凸部１９を第１のケース３の係止凹部７に係止させて、カプセル本体２を組み立てる。このようにして、印鑑２１を収納した元のカプセル１に戻して保管することができる。
【００２５】
カプセル本体２は、透過性を有する素材で形成しても良く、透過性素材で形成した場合は、印鑑を確認して、カプセル１を選択することができる。また、上記カプセル本体２は、球状に形成されているが、円筒状等の種々の形状に設計変更することが可能であることは勿論である。また、上記実施の形態では、カプセル本体２と印鑑２１を連結する手段として、連結孔１１と連結突起３５を形成した。しかし、カプセル本体２の内面３ｂと外面３ａにそれぞれ別個の連結穴を形成し、前記連結突起３５を内側の連結穴に連結させてカプセル本体２の内部に印鑑２１を固定し、前記連結突起３５を外側の連結穴に連結させてカプセル本体２の外部に印鑑２１を固定するようにしても構わない。カプセル本体２の内面３ｂ側の連結穴が第３の連結部となり、カプセル本体２の外面３ａ側の連結穴が第１の連結部となる。なお、この場合、連結突起３５が第２の連結部となる。さらに、カプセル本体２の内面３ｂと外面３ａにそれぞれ別個の連結凸部（第３の連結部、第１の連結部）を形成し、印鑑２１に連結凹部（第２の連結部）を形成しても構わない。
【産業上の利用可能性】
【００２６】
本願発明に係るカプセルは、自動販売機に収納され、コインの挿入毎に取り出すことが出来る商品として利用可能であり、さらに印鑑としても利用可能である。
【図面の簡単な説明】
【００２７】
【図１】カプセルの全体説明図である。
【図２】カプセルの側面断面図である。
【図３】カプセルの分解側面図である。
【図４】図３の側面断面図である。
【図５】カプセル本体に印鑑を取り付けた状態の側面断面図である。
【図６】カプセルを上から視た全体斜視図である。
【図７】カプセルを下から視た全体斜視図である。
【図８】カプセル本体に印鑑を取り付けた状態の全体斜視図である。
【図９】第２のケースを外した状態を示す斜視図である。
【図１０】第１のケースから印鑑を取り出した状態の斜視図である。
【図１１】第１のケースから印鑑を取り出した状態の斜視図である。
【図１２】印鑑の蓋体を外した状態の斜視図である。
【図１３】印鑑の分解斜視図である。
【図１４】印鑑の分解斜視図である。
【符号の説明】
【００２８】
１  カプセル
２  カプセル本体
３  第１のケース
３ａ  外面
３ｂ  内面
５  開口
６  端縁
７  係止凹部
９  平面部
１１  連結孔（第１の連結部、第３の連結部）
１２  位置決め凹部
１５  第２のケース
１６  開口
１７  端縁
１８  透孔
１９  係止凸部
２１  印鑑
２２  収容体
２３  開口
２６  印版
２７  端縁
２９  雄ネジ部
３２  平面部
３３  位置決め凸部
３５  連結突起（第２の連結部）
３６  ボス
３７  取付穴
３９  表面
４２  印面
４３  裏面
４５  取付板
４６  表面
４７  裏面
４９  取付軸
５１  蓋体
５２  カバー部
５３  突縁
５５  雌ネジ部
【図１】
0005037434.tif 000002
【図２】
0005037434.tif 000003
【図３】
0005037434.tif 000004
【図４】
0005037434.tif 000005
【図５】
0005037434.tif 000006
【図６】
0005037434.tif 000007
【図７】
0005037434.tif 000008
【図８】
0005037434.tif 000009
【図９】
0005037434.tif 000010
【図１０】
0005037434.tif 000011
【図１１】
0005037434.tif 000012
【図１２】
0005037434.tif 000013
【図１３】
0005037434.tif 000014
【図１４】
0005037434.tif 000015